(57)【特許請求の範囲】
【請求項１】
生産ラインにて作業者が行う作業に係る情報である作業情報を記録デバイスに記録する作業情報記録装置であって、
上記作業者による所定の行動を検出する行動検出デバイスと、
上記作業者からの操作を受け付ける操作デバイスと、
上記行動検出デバイスの検出により、上記作業の終了時刻を取得し、取得した終了時刻を記録デバイスに蓄積する時刻取得手段と、
上記記録デバイスに蓄積された終了時刻の中から、上記操作デバイスの操作に基づき上記作業の終了時刻を選択する時刻選択手段と、
上記時刻選択手段が上記作業の終了時刻を選択した後に、上記作業の内容を示す内容情報を、上記操作デバイスを介して取得する内容取得手段と、
上記時刻選択手段が選択した終了時刻と、上記内容取得手段が取得した内容情報とを含む上記作業情報を作成する作業情報作成手段とを備えることを特徴とする作業情報記録装置。
【請求項２】
上記時刻取得手段は、さらに、上記行動検出デバイスの検出により、上記作業の開始時刻を取得しており、
上記作業情報作成手段は、上記時刻取得手段が取得した開始時刻と、上記時刻選択手段が選択した終了時刻と、上記内容取得手段が取得した内容情報とを含む上記作業情報を作成することを特徴とする請求項１に記載の作業情報記録装置。
【請求項３】
上記行動検出デバイスは、作業開始用の行動検出デバイスと、作業終了用の行動検出デバイスとを備えていることを特徴とする請求項２に記載の作業情報記録装置。
【請求項４】
上記時刻取得手段は、さらに、上記行動検出デバイスの検出により、上記作業の開始時刻を取得して記録デバイスに蓄積しており、
上記時刻選択手段は、さらに、上記記録デバイスに蓄積された開始時刻の中から、上記操作デバイスの操作に基づき上記作業の開始時刻を選択しており、
上記作業情報作成手段は、上記時刻選択手段が選択した開始時刻および終了時刻と、上記内容取得手段が取得した内容情報とを含む上記作業情報を作成することを特徴とする請求項１から３の何れか１項に記載の作業情報記録装置。
【請求項５】
情報を表示する表示デバイスと、
上記記録デバイスに蓄積された終了時刻に基づき、各作業のタイムチャートを表示するように上記表示デバイスに指示する表示指示手段とをさらに備えることを特徴とする請求項１から３の何れか１項に記載の作業情報記録装置。
【請求項６】
上記行動検出デバイスは、上記作業者が押しボタンを押したことを検出する押しボタンスイッチであることを特徴とする請求項１から５までの何れか１項に記載の作業情報記録装置。
【請求項７】
上記行動検出デバイスは、上記作業者を識別する作業者識別情報が記録された記録媒体を上記作業者が接続、接触、または接近させたことを、上記記録媒体から上記作業者識別情報を読み取ることにより検出する識別情報読取デバイスであることを特徴とする請求項１から６までの何れか１項に記載の作業情報記録装置。
【請求項８】
上記時刻取得手段は、さらに、上記識別情報読取デバイスが読み取った作業者識別情報を取得して、上記終了時刻に対応付けており、
上記作業情報作成手段は、上記時刻選択手段が選択した終了時刻に対応付けられた作業者識別情報をさらに含む上記作業情報を作成することを特徴とする請求項７に記載の作業情報記録装置。
【請求項９】
上記時刻取得手段は、さらに、
上記識別情報読取デバイスの検出により、上記作業の開始時刻を取得すると、上記識別情報読取デバイスが読み取った作業者識別情報を、上記作業を行うべき現象を発見した発見者識別情報として取得して、上記作業の開始時刻と対応付ける一方、
上記識別情報読取デバイスの検出により、上記作業の終了時刻を取得すると、上記識別情報読取デバイスが読み取った作業者識別情報を、上記作業に対応した対応者識別情報として取得して、上記作業の終了時刻と対応付けており、
上記作業情報作成手段は、上記時刻取得手段が取得した開始時刻と、該開始時刻に対応付けられた発見者識別情報と、上記時刻選択手段が選択した終了時刻に対応付けられた対応者識別情報とをさらに含む上記作業情報を作成することを特徴とする請求項７に記載の作業情報記録装置。
【請求項１０】
生産ラインにて作業者が行う作業に係る情報である作業情報を記録デバイスに記録する作業情報記録装置であって、
上記作業者による所定の行動を検出する行動検出デバイスと、
上記作業者からの操作を受け付ける操作デバイスと、
上記行動検出デバイスの検出により、上記作業の終了時刻を取得する時刻取得手段と、
該時刻取得手段が上記作業の終了時刻を取得した後に、上記作業の内容を示す内容情報を、上記操作デバイスを介して取得する内容取得手段と、
上記時刻取得手段が取得した終了時刻と、上記内容取得手段が取得した内容情報とを含む上記作業情報を作成する作業情報作成手段とを備え、
上記行動検出デバイスは、上記作業者を識別する作業者識別情報が記録された記録媒体を上記作業者が接続、接触、または接近させたことを、上記記録媒体から上記作業者識別情報を読み取ることにより検出する識別情報読取デバイスであることを特徴とする作業情報記録装置。
【請求項１１】
上記時刻取得手段は、さらに、上記識別情報読取デバイスが読み取った作業者識別情報を取得して、上記終了時刻に対応付けており、
上記作業情報作成手段は、上記時刻取得手段が取得した終了時刻に対応付けられた作業者識別情報をさらに含む上記作業情報を作成することを特徴とする請求項１０に記載の作業情報記録装置。
【請求項１２】
上記時刻取得手段は、さらに、
上記識別情報読取デバイスの検出により、上記作業の開始時刻を取得すると、上記識別情報読取デバイスが読み取った作業者識別情報を、上記作業を行うべき現象を発見した発見者識別情報として取得して、上記作業の開始時刻と対応付ける一方、
上記識別情報読取デバイスの検出により、上記作業の終了時刻を取得すると、上記識別情報読取デバイスが読み取った作業者識別情報を、上記作業に対応した対応者識別情報として取得して、上記作業の終了時刻と対応付けており、
上記作業情報作成手段は、上記時刻取得手段が取得した開始時刻と、該開始時刻に対応付けられた発見者識別情報と、上記時刻取得手段が取得した終了時刻に対応付けられた対応者識別情報とをさらに含む上記作業情報を作成することを特徴とする請求項１０に記載の作業情報記録装置。
【請求項１３】
上記行動検出デバイスは、上記生産ラインの各設備に設けられており、
上記時刻取得手段は、さらに、検出した行動検出デバイスが設けられている設備の名称を取得して、上記終了時刻に対応付けており、
上記作業情報作成手段は、上記時刻選択手段が選択した終了時刻に対応付けられた設備の名称をさらに含む上記作業情報を作成することを特徴とする請求項１から９までの何れか１項に記載の作業情報記録装置。
【請求項１４】
生産ラインにて作業者が行う作業に係る情報である作業情報を記録デバイスに記録する作業情報記録装置であって、
上記作業者による所定の行動を検出する行動検出デバイスと、
上記作業者からの操作を受け付ける操作デバイスと、
上記行動検出デバイスの検出により、上記作業の終了時刻を取得する時刻取得手段と、
該時刻取得手段が上記作業の終了時刻を取得した後に、上記作業の内容を示す内容情報を、上記操作デバイスを介して取得する内容取得手段と、
上記時刻取得手段が取得した終了時刻と、上記内容取得手段が取得した内容情報とを含む上記作業情報を作成する作業情報作成手段とを備え、
上記行動検出デバイスは、上記生産ラインの各設備に設けられており、
上記時刻取得手段は、さらに、検出した行動検出デバイスが設けられている設備の名称を取得して、上記終了時刻に対応付けており、
上記作業情報作成手段は、上記時刻取得手段が取得した終了時刻に対応付けられた設備の名称をさらに含む上記作業情報を作成することを特徴とする作業情報記録装置。
【請求項１５】
上記行動検出デバイスは、上記生産ラインの各設備に設けられ、さらに、上記生産ラインの区域に上記作業者が出入りしたことを検出するエリアセンサが設けられており、
上記時刻取得手段は、さらに、上記エリアセンサの検出により、上記作業を行うべき現象を発見した発見時刻を取得し、上記各設備に設けた上記行動検出デバイスの検出により、上記作業の開始時刻および当該設備の名称を取得し、かつ、上記エリアセンサの再検出により、上記作業の終了時刻を取得しており、
上記作業情報作成手段は、上記時刻取得手段が取得した発見時刻、開始時刻、および当該設備の名称をさらに含む上記作業情報を作成することを特徴とする請求項１から１４までの何れか１項に記載の作業情報記録装置。
【請求項１６】
生産ラインにて作業者が行う作業に係る情報である作業情報を記録デバイスに記録する作業情報記録装置であって、
上記作業者による所定の行動を検出する行動検出デバイスと、
上記作業者からの操作を受け付ける操作デバイスと、
上記行動検出デバイスの検出により、上記作業の終了時刻を取得する時刻取得手段と、
該時刻取得手段が上記作業の終了時刻を取得した後に、上記作業の内容を示す内容情報を、上記操作デバイスを介して取得する内容取得手段と、
上記時刻取得手段が取得した終了時刻と、上記内容取得手段が取得した内容情報とを含む上記作業情報を作成する作業情報作成手段とを備え、
上記行動検出デバイスは、上記生産ラインの各設備に設けられ、さらに、上記生産ラインの区域に上記作業者が出入りしたことを検出するエリアセンサが設けられており、
上記時刻取得手段は、さらに、上記エリアセンサの検出により、上記作業を行うべき現象を発見した発見時刻を取得し、上記各設備に設けた上記行動検出デバイスの検出により、上記作業の開始時刻および当該設備の名称を取得し、かつ、上記エリアセンサの再検出により、上記作業の終了時刻を取得しており、
上記作業情報作成手段は、上記時刻取得手段が取得した発見時刻、開始時刻、および当該設備の名称をさらに含む上記作業情報を作成することを特徴とする作業情報記録装置。
【請求項１７】
上記生産ラインにおける各設備の稼働情報を取得する稼働情報取得手段をさらに備えており、
上記作業情報作成手段は、上記時刻選択手段が選択した終了時刻を、上記稼働情報取得手段が取得した稼働情報に基づいて修正し、修正した終了時刻と上記内容情報とを含む上記作業情報を作成することを特徴とする請求項１から９、１３、１５の何れか１項に記載の作業情報記録装置。
【請求項１８】
生産ラインにて作業者が行う作業に係る情報である作業情報を記録デバイスに記録する作業情報記録装置であって、
上記作業者による所定の行動を検出する行動検出デバイスと、
上記作業者からの操作を受け付ける操作デバイスと、
上記行動検出デバイスの検出により、上記作業の終了時刻を取得する時刻取得手段と、
該時刻取得手段が上記作業の終了時刻を取得した後に、上記作業の内容を示す内容情報を、上記操作デバイスを介して取得する内容取得手段と、
上記時刻取得手段が取得した終了時刻と、上記内容取得手段が取得した内容情報とを含む上記作業情報を作成する作業情報作成手段とを備え
上記生産ラインにおける各設備の稼働情報を取得する稼働情報取得手段をさらに備えており、
上記作業情報作成手段は、上記時刻取得手段が取得した終了時刻を、上記稼働情報取得手段が取得した稼働情報に基づいて修正し、修正した終了時刻と上記内容情報とを含む上記作業情報を作成することを特徴とする作業情報記録装置。
【請求項１９】
上記内容情報は、上記作業の種類と、上記作業の対象と、上記作業を行うことになった現象または原因との少なくとも１つを含むことを特徴とする請求項１から１８までの何れか１項に記載の作業情報記録装置。
【請求項２０】
生産ラインにて作業者が行う作業に係る情報である作業情報を記録デバイスに記録する作業情報記録装置であって、
上記作業者による所定の行動を検出する行動検出デバイスと、
上記作業者からの操作を受け付ける操作デバイスと、
上記行動検出デバイスの検出により、上記作業の終了時刻を取得する時刻取得手段と、
該時刻取得手段が上記作業の終了時刻を取得した後に、上記作業の内容を示す内容情報を、上記操作デバイスを介して取得する内容取得手段と、
上記時刻取得手段が取得した終了時刻と、上記内容取得手段が取得した内容情報とを含む上記作業情報を作成する作業情報作成手段とを備え、
上記内容情報は、上記作業の種類と、上記作業の対象と、上記作業を行うことになった現象または原因との少なくとも１つを含むことを特徴とする作業情報記録装置。
【請求項２１】
上記行動検出デバイスは、ワイヤレス型であることを特徴とする請求項１から２０までの何れか１項に記載の作業情報記録装置。
【請求項２２】
生産ラインにて作業者が行う作業に係る情報である作業情報を記録デバイスに記録する作業情報記録装置であって、
上記作業者による所定の行動を検出する行動検出デバイスと、
上記作業者からの操作を受け付ける操作デバイスと、
上記行動検出デバイスの検出により、上記作業の終了時刻を取得する時刻取得手段と、
該時刻取得手段が上記作業の終了時刻を取得した後に、上記作業の内容を示す内容情報を、上記操作デバイスを介して取得する内容取得手段と、
上記時刻取得手段が取得した終了時刻と、上記内容取得手段が取得した内容情報とを含む上記作業情報を作成する作業情報作成手段とを備え、
上記行動検出デバイスは、ワイヤレス型であることを特徴とする作業情報記録装置。
【請求項２３】
生産ラインにて作業者が行う作業に係る情報である作業情報を記録デバイスに記録する作業情報記録装置の制御方法であって、
上記作業者による所定の行動を検出する行動検出デバイスの検出により、上記作業の終了時刻を取得する時刻取得ステップと、
上記時刻取得ステップにて取得され、記録デバイスに蓄積された上記作業の終了時刻の中から、上記作業者からの操作を受け付ける操作デバイスを介した操作に基づき上記作業の終了時刻を選択する時刻選択ステップと、
上記時刻選択ステップにて上記作業の終了時刻が選択された後に、上記作業の内容を示す内容情報を、上記操作デバイスを介して取得する内容取得ステップと、
上記時刻選択ステップにて選択された終了時刻と、上記内容取得ステップにて取得された内容情報とを含む上記作業情報を作成する作業情報作成ステップとを含むことを特徴とする作業情報記録装置の制御方法。
【請求項２４】
生産ラインにて作業者が行う作業に係る情報である作業情報を記録デバイスに記録する作業情報記録装置を動作させるための制御プログラムにおいて、
上記作業者による所定の行動を検出する行動検出デバイスの検出により、上記作業の終了時刻を取得する時刻取得ステップと、
上記時刻取得ステップにて取得され、記録デバイスに蓄積された終了時刻の中から、上記作業者からの操作を受け付ける操作デバイスを介した操作に基づき上記作業の終了時刻を選択する時刻選択ステップと、
上記時刻選択ステップにて上記作業の終了時刻が選択された後に、上記作業の内容を示す内容情報を、上記操作デバイスを介して取得する内容取得ステップと、
上記時刻選択ステップにて選択された終了時刻と、上記内容取得ステップにて取得された内容情報とを含む上記作業情報を作成する作業情報作成ステップとをコンピュータに実行させるための制御プログラム。
【発明の詳細な説明】
【技術分野】
【０００１】
本発明は、生産ラインにて作業者が行う作業に係る情報である作業情報を記録する作業情報記録装置、並びにその制御方法および制御プログラムに関するものである。特に、本発明は、生産ラインでの異常発生時に行われる修復作業に係る作業情報を記録する作業情報記録装置などに関するものである。
【背景技術】
【０００２】
生産ラインで働く作業者は、日々刻々と変化する生産ラインの状況を監視し、異常が発生した場合には対処し、一日の作業内容等を作業日報として記録している。
【０００３】
一般に、作業日報には、作業の年月日、作業者の氏名、発生現象および発生時刻、作業内容および作業時刻、次の作業者への引継事項、生産管理の情報（例えばオーダ番号、機種、完成数など）などの作業情報が含まれる。上記発生現象の例としては、生産設備の故障の状況、品質特性の状況、などが挙げられる。また、上記作業内容の例としては、生産設備の故障に対する処置内容、定期的に実施する作業内容、生産条件の変更内容および変更値、などが挙げられる。
【０００４】
上記作業日誌は、作業者間での引継時における状況把握、管理者と作業者との間での生産状況の共有化、管理者による設備改善状況の分析、生産品に対する苦情発生時における管理者による原因追及などの観点から有用である。近時、上記作業日誌を電子化して、作業情報を自動的に収集することが求められている。これを実現することにより、引継事項の共有、生産状況の共有など、情報の共有を効率的に行うことが期待できる。また、設備改善の問題点の分析など、分析の精度を向上させることが期待できる。
【０００５】
しかしながら、各設備の稼働に関する情報は、自動収集が容易であっても、作業開始時刻、作業終了時刻などの作業に関連する作業時刻は、自動収集が困難である。このことを、図２３を参照して説明する。図２３は、或る加工機Ａの稼働状況の時間変化を示すグラフである。
【０００６】
図２３に示すように、加工機Ａは、搬送部にてワークの搬送詰まりが発生して稼働を停止する（時刻ｔ１００）。その後、作業者は、加工機Ａの停止に気づき（時刻ｔ１０１）、加工機Ａに近づき、上記停止の原因（ワークの搬送詰まり）を特定し、詰まったワークを発見して除去した後、加工機Ａを再稼働させる（時刻ｔ１０２）。その後、上記ワークの搬送詰まりが繰り返し発生し、その度に上記作業者が詰まったワークの除去と加工機Ａの再稼働とを行い、ときには上記作業者が上記搬送部の清掃を行ったりした後、加工機Ａは、正常な稼働に復帰する（時刻ｔ１０３）。
【０００７】
図２３の場合、上記作業者の実際の作業時間は、加工機Ａの停止に上記作業者が気づいた時刻ｔ１０１から、加工機Ａが正常に稼働し始めた時刻ｔ１０３までであり、加工機Ａが最初に停止した時刻ｔ１００から上記時刻ｔ１０１までを含まない。このように、設備の稼働状態と実際の作業時間とは必ずしも一致しないので、設備の稼働情報収集しても、作業者の作業時間を取得できるとは限らない。従って、上記作業時刻は、作業者の指示または入力により取得される必要がある。
【０００８】
上記作業日誌の電子化の例としては、特許文献１および特許文献２が挙げられる。特許文献１・２においても、上記作業時刻は、作業者の指示により取得されている。特許文献１に記載の生産システムでは、各生産設備は、動作状態（停止、故障／修理中など）に応じて信号灯を発光すると共に、動作状態の変化に即した時刻情報を取得している。また、作業者は、修理の開始・完了などのステータス情報を、各生産設備に設けた操作卓、またはハンディターミナルから入力している。各生産設備は、取得した時刻情報と、入力されたステータス情報とを含むメッセージをホストコンピュータに送信している。
【０００９】
また、特許文献２に記載の異常管理システムでは、設備に異常が発生すると、作業者は、設備の設置位置に到達し、処理対象の装置であることを確認すると、復旧処理を開始する旨を、ＰＤＡ（Personal Digital Assistant）を介してサーバに通知している。そして、上記復旧処理が完了すると、復旧完了時刻および異常の原因を、上記ＰＤＡを介して上記サーバに通知している。
【先行技術文献】
【特許文献】
【００１０】
【特許文献１】特開２００２−２６８７２０号公報（２００２年０９月２０日公開）
【特許文献２】特開２００３−１９５９４０号公報（２００３年０７月１１日公開）
【発明の概要】
【発明が解決しようとする課題】
【００１１】
しかしながら、特許文献１・２では、各設備に入力装置を追加したり、各設備または各作業者に携帯型情報端末を配備したりしているため、設備コストの上昇を招くことになる。
【００１２】
上記問題点を回避するには、１または幾つかの作業情報記録装置を生産ラインの近くに配置し、当該作業情報記録装置にて作業情報を入力することが考えられる。しかしながら、この場合、上記作業情報記録装置と、上記生産ラインの設備とが離間しており、その距離が設備ごとに異なる可能性がある。このため、上記作業者が作業の終了後に、作業対象の設備から上記作業情報記録装置に移動して、作業情報を入力することになり、作業者の指示または入力により取得される上記作業時刻の精度が低下する虞がある。
【００１３】
一方、一般に、収集されたデータを集計して分析する場合、データの精度が悪いと、分析結果の精度も悪くなる。その結果、設備改善の問題点の分析、該分析の結果に基づく上記問題点への対応の優先順位付けなどを正確に行うことが困難となる。従って、作業時刻、すなわち作業の開始時刻および終了時刻を精度よく収集することが重要となる。
【００１４】
図２４は、或る期間に収集された各設備の故障時間を用いた分析結果の一例をパレート図で示している。同図の棒グラフは、各設備の故障時間の積算値を、該積算値の多い順に並べたものである。また、同図の折れ線グラフは、各設備の故障回数を示している。
【００１５】
一般に、故障回数が多く、かつ、故障時間の積算値が大きい設備では、小停止（チョコ停）が多数発生していることになる。小停止が多数発生すると、その分生産ラインの停止期間が長くなり、生産効率が低下する。従って、この問題点に効率良く対応するには、故障回数の多い設備を、故障時間の積算値の大きい設備から優先的に改善すればよいことになる。すなわち、図２４に示す棒グラフおよび折れ線グラフを比較参照して、故障回数の多い設備（部品Ｂ組込機、検査機Ａ、最終加工機）を、故障時間の積算値の大きい設備から順に優先順位を付与することにより、上記問題点に効率よく対応することができる。
【００１６】
しかしながら、作業の開始時刻および終了時刻が不正確であると、上記故障時間の誤差が大きくなる。このため、故障回数の多い設備にて収集される上記作業の開始時刻および終了時刻が不正確であると、故障時間の積算値には、上記誤差が多数累積することになる。その結果、各設備の故障時間の積算値を、該積算値の多い順に適切に並べることができなくなり、優先順位を適切に付与することができなくなる。
【００１７】
本発明は、上記の問題点に鑑みてなされたものであり、その目的は、作業時刻の精度の低下を抑制することができる作業情報記録装置などを提供することにある。
【課題を解決するための手段】
【００１８】
本発明に係る作業情報記録装置は、生産ラインにて作業者が行う作業に係る情報である作業情報を記録デバイスに記録する作業情報記録装置であって、上記課題を解決するために、上記作業者による所定の行動を検出する行動検出デバイスと、上記作業者からの操作を受け付ける操作デバイスと、上記行動検出デバイスの検出により、上記作業の終了時刻を取得する時刻取得手段と、該時刻取得手段が上記作業の終了時刻を取得した後に、上記作業の内容を示す内容情報を、上記操作デバイスを介して取得する内容取得手段と、上記時刻取得手段が取得した終了時刻と、上記内容取得手段が取得した内容情報とを含む上記作業情報を作成する作業情報作成手段とを備えることを特徴としている。
【００１９】
また、本発明に係る作業情報記録装置の制御方法は、生産ラインにて作業者が行う作業に係る情報である作業情報を記録デバイスに記録する作業情報記録装置の制御方法であって、上記課題を解決するために、上記作業者による所定の行動を検出する行動検出デバイスの検出により、上記作業の終了時刻を取得する時刻取得ステップと、該時刻取得ステップにて上記作業の終了時刻が取得された後に、上記作業の内容を示す内容情報を、上記作業者からの操作を受け付ける操作デバイスを介して取得する内容取得ステップと、上記時刻取得ステップにて取得された終了時刻と、上記内容取得ステップにて取得された内容情報とを含む上記作業情報を作成する作業情報作成ステップとを含むことを特徴としている。
【００２０】
ここで、行動検出デバイスの例としては、押しボタンスイッチ、ＩＣタグリーダ、バーコードリーダ、エリアセンサ、などが挙げられる。押しボタンスイッチは、作業者が押しボタンを押したことを検出することができる。また、ＩＣタグリーダは、作業者がＩＣタグを接続、接触、または接近させたことを、当該ＩＣタグから作業者ＩＤを読み取ることにより検出することができる。また、バーコードリーダは、バーコードが印刷された紙媒体を作業者が接近させたことを、当該バーコードから作業者ＩＤを読み取ることにより検出することができる。また、エリアセンサは、作業者が所定領域を出入りしたことを検出することができる。
【００２１】
上記の構成および方法によると、作業者は、作業を終了すると、行動検出デバイスの検出により、上記作業の終了時刻が取得され、その後に、操作デバイスを介して上記作業の内容情報が取得され、取得された終了時刻および内容情報を含む作業情報が作成される。従って、内容情報と共に終了時刻を取得する従来の場合に比べて、終了時刻を迅速に取得でき、その結果、上記作業の終了時刻の精度の低下を抑制することができる。
【００２２】
なお、上記作業の内容情報の例としては、上記作業の種類、上記作業の対象、上記作業を行うことになった現象または原因などが挙げられる。
【００２３】
本発明に係る作業情報記録装置では、上記時刻取得手段は、さらに、上記行動検出デバイスの検出により、上記作業の開始時刻を取得しており、上記作業情報作成手段は、上記時刻取得手段が取得した開始時刻および終了時刻と、上記内容取得手段が取得した内容情報とを含む上記作業情報を作成することが好ましい。この場合、開始時刻から終了時刻までの作業時間を求めることができる。
【００２４】
本発明に係る作業情報記録装置では、上記行動検出デバイスは、作業開始用の行動検出デバイスと、作業終了用の行動検出デバイスとを備えていてもよい。この場合、上記時刻取得手段は、上記作業開始用の行動検出デバイスの検出により、上記作業の開始時刻を取得する一方、上記作業終了用の行動検出デバイスの検出により、上記作業の終了時刻を取得することになる。従って、取得した時刻が作業の開始時刻および終了時刻の何れであるかを容易に特定することができる。
【００２５】
ところで、上記作業は、複数回行われることが通常であり、さらに、複数の上記作業が重複して行われる場合がある。この場合、或る作業が完了して、該作業の内容を入力すると、その分、実行中の別の作業が遅延することになり望ましくない。
【００２６】
そこで、本発明に係る作業情報記録装置では、上記時刻取得手段は、さらに、取得した終了時刻を記録デバイスに蓄積しており、上記記録デバイスに蓄積された終了時刻の中から、上記操作デバイスの操作に基づき選択する時刻選択手段をさらに備えており、上記作業情報作成手段は、上記時刻選択手段が選択した終了時刻と、上記内容取得手段が取得した内容情報とを含む上記作業情報を作成してもよい。
【００２７】
この場合、行動検出デバイスの検出により終了時刻が収集されて記録デバイスに蓄積される。次に、作業者による操作デバイスの操作に基づき、記録デバイスに蓄積された終了時刻の何れかが選択されると共に、作業者から操作デバイスを介しての入力により、上記作業の内容情報が取得される。そして、選択された終了時刻と、取得された内容情報とを含む作業情報が作成される。
【００２８】
このように、本発明では、まず、上記終了時刻が収集され、後で上記作業の内容が入力されるので、上述と同様に、上記終了時刻の精度の低下を抑制することができる。さらに、複数の作業が重複して行われても、まず、該複数の作業の上記終了時刻を蓄積しておき、上記複数の作業が終了した後に、各作業に該当する終了時刻が選択され、該作業の内容情報が入力されて作業情報を作成することができる。従って、或る作業が完了しても、実行中の別の作業が遅延することを防止することができ、その結果、複雑な事象にも対応することができる。
【００２９】
なお、終了時刻が記録される記録デバイスと、作業情報が記録される記録デバイスとは、同じであってもよいし、別々であってもよい。また、各手段は、別体として備えていてもよい。
【００３０】
本発明に係る作業情報記録装置では、上記時刻取得手段は、さらに、上記行動検出デバイスの検出により、上記作業の開始時刻を取得して記録デバイスに蓄積しており、上記時刻選択手段は、さらに、上記記録デバイスに蓄積された開始時刻の中から、上記操作デバイスの操作に基づき選択しており、上記作業情報作成手段は、上記時刻選択手段が選択した開始時刻および終了時刻と、上記内容取得手段が取得した内容情報とを含む上記作業情報を作成することが好ましい。
【００３１】
本発明に係る作業情報記録装置では、情報を表示する表示デバイスと、上記記録デバイスに蓄積された終了時刻に基づき、各作業のタイムチャートを表示するように上記表示デバイスに指示する表示指示手段とをさらに備えてもよい。この場合、各作業がタイムチャートで表示されるので、複数の作業の終了時刻を容易に把握することができる。
【００３２】
本発明に係る作業情報記録装置では、上記行動検出デバイスは、上述のＩＣタグリーダ、バーコードリーダなどのように、上記作業者を識別する作業者識別情報が記録された記録媒体を上記作業者が接続、接触、または接近させたことを、上記記録媒体から上記作業者識別情報を読み取ることにより検出する識別情報読取デバイスであってもよい。
【００３３】
さらに、上記時刻取得手段は、上記識別情報読取デバイスが読み取った作業者識別情報を取得して、上記終了時刻に対応付けており、上記作業情報作成手段は、上記時刻取得手段が取得した終了時刻に対応付けられた作業者識別情報をさらに含む上記作業情報を作成することが好ましい。この場合、上記作業者を自動的に特定でき、作業情報に含めることができる。
【００３４】
さらに、上記時刻取得手段は、上記識別情報読取デバイスの検出により、上記作業の開始時刻を取得すると、上記識別情報読取デバイスが読み取った作業者識別情報を、上記作業を行うべき現象を発見した発見者識別情報として取得して、上記作業の開始時刻と対応付ける一方、上記識別情報読取デバイスの検出により、上記作業の終了時刻を取得すると、上記識別情報読取デバイスが読み取った作業者識別情報を、上記作業に対応した対応者識別情報として取得して、上記作業の終了時刻と対応付けており、上記作業情報作成手段は、上記時刻取得手段が取得した開始時刻と、該開始時刻に対応付けられた発見者識別情報と、上記時刻取得手段が取得した終了時刻に対応付けられた対応者識別情報とをさらに含む上記作業情報を作成してもよい。この場合、上記作業の発見者および対応者を自動的に特定でき、作業情報に含めることができる。
【００３５】
本発明に係る作業情報記録装置では、上記行動検出デバイスは、上記生産ラインの各設備に設けられており、上記時刻取得手段は、さらに、検出した行動検出デバイスが設けられている設備の名称を取得して、上記終了時刻に対応付けており、上記作業情報作成手段は、上記時刻取得手段が取得した終了時刻に対応付けられた設備の名称をさらに含む上記作業情報を作成してもよい。この場合、上記作業の対象となる設備を自動的に特定でき、作業情報に含めることができる。
【００３６】
本発明に係る作業情報記録装置では、上記行動検出デバイスは、上記生産ラインの各設備に設けられ、さらに、上記生産ラインの区域に上記作業者が出入りしたことを検出するエリアセンサが設けられており、上記時刻取得手段は、さらに、上記エリアセンサの検出により、上記作業を行うべき現象を発見した発見時刻を取得し、上記各設備に設けた上記行動検出デバイスの検出により、上記作業の開始時刻および当該設備の名称を取得し、かつ、上記エリアセンサの再検出により、上記作業の終了時刻を取得しており、上記作業情報作成手段は、上記時刻取得手段が取得した発見時刻、開始時刻、および当該設備の名称をさらに含む上記作業情報を作成してもよい。この場合、上記作業の開始時刻とは別に、上記発見時刻を取得して、作業情報に含めることができる。
【００３７】
本発明に係る作業情報記録装置では、上記生産ラインにおける各設備の稼働情報を取得する稼働情報取得手段をさらに備えており、上記作業情報作成手段は、上記時刻取得手段が取得した終了時刻を、上記稼働情報取得手段が取得した稼働情報に基づいて修正し、修正した終了時刻と上記内容情報とを含む上記作業情報を作成してもよい。この場合、稼働情報に基づいて終了時刻が修正されるので、上記終了時刻の精度を向上させることができる。
【００３８】
本発明に係る作業情報記録装置では、上記行動検出デバイスは、ワイヤレス型であってもよい。この場合、上記時刻取得手段は、無線通信を行う無線通信デバイスを介して上記行動検出デバイスと無線通信を行えばよい。上記の構成によると、上記作業者が、上記行動検出デバイスを携帯することができるので、上記終了時刻を迅速に取得でき、上記終了時刻の精度の低下を抑制することができる。
【００３９】
なお、上記作業情報記録装置における各ステップを、制御プログラムによりコンピュータに実行させることができる。さらに、上記制御プログラムをコンピュータ読取り可能な記録媒体に記憶させることにより、任意のコンピュータ上で上記制御プログラムを実行させることができる。
【発明の効果】
【００４０】
以上のように、本発明に係る作業情報記録装置は、作業を終了すると、行動検出デバイスの検出により、上記作業の終了時刻が取得され、その後に、操作デバイスを介して上記作業の内容情報が取得され、取得された終了時刻および内容情報を含む作業情報が作成されるので、内容情報と共に終了時刻を取得する従来の場合に比べて、終了時刻を迅速に取得でき、その結果、上記作業の終了時刻の精度の低下を抑制できるという効果を奏する。
【図面の簡単な説明】
【００４１】
【図１】本発明の一実施形態である生産システムにおける作業情報記録装置の概略構成を示すブロック図である。
【図２】上記生産システムの概略構成を示すブロック図である。
【図３】作業内容入力画像の一例を示す図である。
【図４】作業情報ＤＢの一例を表形式で示す図である。
【図５】上記作業情報記録装置における処理の流れを示すフローチャートである。
【図６】本発明の別の実施形態である生産システムにおける作業情報記録装置の概略構成を示すブロック図である。
【図７】上記作業情報記録装置における処理の流れを示すフローチャートである。
【図８】作業情報ＤＢの一例を表形式で示す図である。
【図９】上記作業情報記録装置における処理の流れを示すフローチャートである。
【図１０】本発明のさらに別の実施形態である生産システムにおける作業情報記録装置の概略構成を示すブロック図である。
【図１１】上記作業情報記録装置における処理の流れを示すフローチャートである。
【図１２】本発明のさらに別の実施形態である生産システムにおける作業情報記録装置の概略構成を示すブロック図である。
【図１３】本発明のさらに別の実施形態である生産システムにおける作業情報記録装置の概略構成を示すブロック図である。
【図１４】上記作業情報記録装置における処理の流れを示すフローチャートである。
【図１５】上記作業情報記録装置における処理の流れを示すフローチャートである。
【図１６】本発明のさらに別の実施形態である生産システムにおける作業情報記録装置の概略構成を示すブロック図である。
【図１７】作業情報ＤＢの一例を表形式で示す図である。
【図１８】上記作業情報記録装置における処理の流れを示すフローチャートである。
【図１９】本発明のさらに別の実施形態である生産システムにおける作業情報記録装置の概略構成を示すブロック図である。
【図２０】タイムチャートの一例を示す図である。
【図２１】作業内容入力画像の一例を示す図である。
【図２２】終了時刻を修正する例を示すグラフである。
【図２３】或る加工機の稼働状況の時間変化を示すグラフである。
【図２４】或る期間に収集された各設備の故障時間を用いた分析結果の一例を示すパレート図である。
【発明を実施するための形態】
【００４２】
〔実施の形態１〕
本発明の一実施形態について図１〜図５を参照して説明する。本実施形態では、部品を製造して組み立てる生産ラインを有する生産システムに本発明を適用しているが、本発明は、上記生産システムに限定されるものではなく、被対象物の処理工程の管理全般に適用することが可能である。なお、被対象物の処理工程とは、例えば、工業製品の生産工程、鉱工業製品、農産物、または原料の検査工程、廃棄対象物（例えば、工場廃棄物、工場廃水、廃ガス、ゴミ等）の処理工程、廃棄対象物の検査工程、設備の検査工程、リサイクル工程等を意味する。
【００４３】
図２は、本実施形態の生産システムの概略構成を示している。図示のように、生産システム１は、生産ライン１０と、生産ライン１０の近くに配置され、生産ライン１０にて作業者が行う作業に係る情報である作業情報を記録デバイスに記録する作業情報記録装置１１とを備える構成である。生産ライン１０には、各種の設備１２が設けられている。また、作業情報記録装置１１は、ＰＣ（Personal Computer）１３に押しボタンスイッチ（行動検出デバイス）１４が接続された構成である。
【００４４】
本実施形態では、作業者に対し、作業の開始および終了時に押しボタンスイッチ１４を必ず押すという規則を設定している。そして、作業情報記録装置１１は、作業者が作業の開始時に押しボタンスイッチ１４を押すことにより、作業の開始時刻を取得する。そして、作業者が作業の終了時に押しボタンスイッチ１４を再び押すことにより、作業の終了時刻を取得する。その後、作業者から作業内容を取得し、取得した開始時刻、終了時刻、および作業内容を含む作業情報を作成して記録する。従って、作業内容と共に終了時刻を取得する従来の場合に比べて、上記終了時刻を作業の終了後直ちに取得できるので、上記終了時刻の精度の低下を抑制することができる。
【００４５】
次に、作業情報記録装置１１の詳細について説明する。図１は、作業情報記録装置１１の概略構成を示している。図１に示すように、作業情報記録装置１１は、押しボタンスイッチ１４、制御部２０、記録部（記録デバイス）２１、操作部（操作デバイス）２２、時計部２３、および表示部（表示デバイス）２４を備える構成である。
【００４６】
制御部２０は、作業情報記録装置１１内における各種構成の動作を統括的に制御するものであり、例えばＣＰＵ（Central Processing Unit）およびメモリを含むコンピュータによって構成される。そして、各種構成の動作制御は、制御プログラムをコンピュータに実行させることによって行われる。なお、制御部２０の詳細については後述する。
【００４７】
記録部２１は、情報を記録するものであり、ハードディスク、フラッシュメモリなどの記録装置によって構成される。なお、記録部２１の詳細については後述する。
【００４８】
操作部２２は、作業者の操作により作業者から各種の入力を受け付けるものであり、入力用ボタン、タッチパネル、その他の操作デバイスによって構成されている。操作部２２は、作業者が操作した情報を操作データに変換して制御部２０に送信する。なお、操作デバイスの他の例としては、キーボードと、テンキーと、マウスなどのポインティングデバイスとが挙げられる。
【００４９】
時計部２３は、時刻を計測するものであり、クロックデバイスによって構成されている。時計部２３は、計測した時刻を制御部２０に送信する。なお、時刻には年月日が含まれることが望ましい。
【００５０】
表示部２４は、制御部２０からの画像データに基づいて、文字や画像などの各種の情報を表示出力するものである。表示部２４は、ＬＣＤ（液晶表示素子）、ＣＲＴ（陰極線管）、プラズマディスプレイなどの表示デバイスによって構成されている。
【００５１】
押しボタンスイッチ１４は、押しボタンの操作面を押圧操作することにより、スイッチ本体を作動させるものである。すなわち、押しボタンスイッチ１４は、上記スイッチ本体の作動により、作業者が上記押しボタンを押したことを検出することになる。押しボタンスイッチ１４は、上記作動の旨を制御部２０に通知する。
【００５２】
次に、制御部２０および記録部２１の詳細について説明する。図１に示すように、制御部２０は、時刻取得部（時刻取得手段）３０、内容取得部（内容取得手段、表示指示手段）３１、および作業情報作成部（作業情報作成手段、稼働情報取得手段）３２を備える構成である。また、記録部２１は、作業情報ＤＢ（データベース）記録部４０を備える構成である。
【００５３】
時刻取得部３０は、押しボタンスイッチ１４から上記作動の旨を受け取ると、時計部２３から現在の時刻を取得するものである。本実施形態では、時刻取得部３０は、押しボタンスイッチ１４が最初に押された時に時計部２３から取得した時刻を作業の開始時刻とし、押しボタンスイッチ１４が次に押された時に時計部２３から取得した時刻を作業の終了時刻とし、以後これを繰り返している。時刻取得部３０は、取得した開始時刻および終了時刻を内容取得部３１および作業情報作成部３２に送出する。
【００５４】
内容取得部３１は、時刻取得部３０から終了時刻を受け取ると、作業者に作業内容を入力させるための作業内容入力画像を表示部２４に表示させ、上記作業者から操作部２２を介して上記作業内容を取得するものである。内容取得部３１は、取得した作業内容を作業情報作成部３２に送出する。
【００５５】
図３は、上記作業内容入力画像の一例を示している。図示の例では、上記作業内容入力画像には、作業に関する担当者（対応者）名、（作業）開始時刻、（作業）終了時刻、作業時間、種類、（対象）設備、（対象）部位、発生現象、処置、および備考の入力欄が、適当な位置に設けられている。また、上記作業内容入力画像の下部には、登録、削除、リセット、およびキャンセルのボタンが設けられている。なお、上記作業内容入力画像が表示される時には、上記開始時刻、終了時刻、および作業時間は既に判明しているため、当該入力欄は既に記入されている。作業者が、図３に示す各種の入力欄に情報を入力し、登録のボタンを押すと、内容取得部３１は、入力された各種の情報を作業内容として作業情報作成部３２に送出する。
【００５６】
作業情報作成部３２は、時刻取得部３０からの開始時刻および終了時刻と、内容取得部３１からの作業内容とを含む作業情報を作成するものである。作業情報作成部３２は、作成した作業情報を作業情報ＤＢ記録部４０の作業情報ＤＢに追加する。
【００５７】
図４は、上記作業情報ＤＢの一例を表形式で示している。図示のように、上記作業情報ＤＢには、１つのレコードに、開始時刻と、終了時刻と、担当者名、設備、部位、発生現象、処置などの作業内容とが含まれている。
【００５８】
作業情報作成部３２は、時刻取得部３０から開始時刻を受け取ると、図４の（ａ）に示すように、開始時刻を含む新たなレコードを作成して上記作業情報ＤＢに追加する。それから、作業情報作成部３２は、時刻取得部３０から終了時刻を受け取ると、同図の（ｂ）に示すように、当該レコードに終了時刻を追加するように上記作業情報ＤＢを更新する。そして、作業情報作成部３２は、内容取得部３１から作業内容を受け取ると、同図の（ｃ）に示すように、当該レコードに作業内容を追加するように上記作業情報ＤＢを更新する。
【００５９】
次に、上記構成の作業情報記録装置１１における処理動作について、図５を参照して説明する。図５は、作業情報記録装置１１における処理の流れを示している。図示のように、まず、押しボタンスイッチ１４が押されるまで待機する（ステップＳ１０。以下、単に「Ｓ１０」と記載する。他のステップについても同様である。）。そして、作業を行うべき何らかの事象が発生して、作業者によって押しボタンスイッチ１４が押されると、時刻取得部３０が、時計部２３からの時刻を作業の開始時刻として取得する（Ｓ１１）。
【００６０】
次に、押しボタンスイッチ１４が再び押されるまで待機する（Ｓ１２）。そして、作業が終了して、作業者によって押しボタンスイッチ１４が再び押されると、時刻取得部３０が、時計部２３からの時刻を作業の終了時刻として取得する（Ｓ１３、時刻取得ステップ）。
【００６１】
次に、内容取得部３１は、図３に示すような作業内容入力画面を表示部２４に表示させ（Ｓ１４）、作業内容の入力が完了するまで待機する（Ｓ１５、内容取得ステップ）。作業内容の入力が完了すると、作業情報作成部３２は、上記開始時刻、上記終了時刻、および上記作業内容を作業情報のレコードに格納して、作業情報ＤＢ記録部４０に記録する（Ｓ１６、作業情報作成ステップ）。その後、ステップＳ１０に戻って上記動作を繰り返す。
【００６２】
〔実施の形態２〕
次に、本発明の別の実施形態について、図６および図７を参照して説明する。本実施形態の作業情報記録装置１１は、図１〜図５に示す作業情報記録装置１１に比べて、押しボタンスイッチ１４に代えて作業者ＩＤリーダ（行動検出デバイス、識別情報読取デバイス）１５が利用される点が異なる。なお、上記実施形態で説明した構成と同様の機能を有する構成には同一の符号を付して、その説明を省略する。
【００６３】
作業者ＩＤリーダ１５は、作業者を識別する作業者ＩＤ（識別情報）が記録され、かつ、作業者が所持する記録媒体から上記作業者ＩＤを読み取るものである。作業者ＩＤリーダ１５は、作業者が上記記録媒体を接続、接触、または接近させることにより、当該記録媒体から上記作業者ＩＤを読み取ることができる。
【００６４】
作業者ＩＤリーダ１５の例としては、バーコードから作業者ＩＤを読み取るバーコードリーダ、ＩＣタグから作業者ＩＤを読み取るＩＣタグリーダなどが挙げられる。なお、バーコード、ＩＣタグなどの記録媒体から情報を読み取る手法については周知であるので、その説明を省略する。
【００６５】
本実施形態では、作業者に対し、作業の開始および終了時に、上記作業者が所持する記録媒体を作業者ＩＤリーダ１５に必ず、接続、接触、または接近させるという規則を設定している。これにより、作業情報記録装置１１は、作業者が作業の開始時に記録媒体を作業者ＩＤリーダ１５に接続、接触、または接近させることにより、作業の開始時刻を取得する。そして、作業者が作業の終了時に記録媒体を作業者ＩＤリーダ１５に再び、接続、接触、または接近させることにより、作業の終了時刻を取得する。このように、押しボタンスイッチ１４の代わりに作業者ＩＤリーダ１５を利用しても、上記実施形態と同様の作用効果が得られることが理解できる。
【００６６】
図６は、作業情報記録装置１１の概略構成を示している。本実施形態の作業情報記録装置１１の制御部２０は、図１に示す制御部２０に比べて、作業者ＩＤ取得部３３が新たに設けられる点と、時刻取得部３０、内容取得部３１、および作業情報作成部３２に代えて、時刻取得部３０ａ、内容取得部３１ａ、および作業情報作成部３２ａが設けられている点とが異なり、その他の構成は同様である。また、本実施形態の作業情報記録装置１１の記録部２１は、図１に示す記録部２１に比べて、作業者情報記録部４１が新たに設けられている点が異なり、その他の構成は同様である。
【００６７】
作業者ＩＤリーダ１５は、上述のように、作業者が上記記録媒体を接続、接触、または接近させることにより、当該記録媒体から作業者ＩＤを読み取る。すなわち、作業者ＩＤリーダ１５は、記録媒体から作業者ＩＤを読み取ることにより、作業者が上記記録媒体を接続、接触、または接近させたことを検出することになる。作業者ＩＤリーダ１５は、読み取った作業者ＩＤを時刻取得部３０ａおよび作業者ＩＤ取得部３３に送信する。
【００６８】
作業者情報記録部４１は、作業者の氏名と作業者ＩＤとを対応付けた作業者情報を予め記録するものである。
【００６９】
時刻取得部３０ａは、図１に示す時刻取得部３０に比べて、押しボタンスイッチ１４から上記作動の旨を受け取る代わりに、作業者ＩＤリーダ１５から作業者ＩＤを受け取る点が異なり、その他の機能は同様である。
【００７０】
作業者ＩＤ取得部３３は、作業者ＩＤリーダ１５から作業者ＩＤを取得するものである。作業者ＩＤ取得部３３は、時刻取得部３０ａが作業の終了時刻を取得する時、作業者情報記録部４１の作業者情報を参照して、取得した作業者ＩＤに対応する作業者の氏名を取得し、取得した作業者の氏名を作業の担当者名として、内容取得部３１ａおよび作業情報作成部３２ａに送出する。
【００７１】
内容取得部３１ａおよび作業情報作成部３２ａは、図１に示す内容取得部３１および作業情報作成部３２に比べて、作業者ＩＤ取得部３３から作業の担当者名をさらに受け取る点が異なり、その他の機能は同様である。これにより、内容取得部３１ａが表示部２４に表示させる作業内容入力画像（図３）には、上記開始時刻、終了時刻、および作業時間に加えて、上記担当者名が既に記入されることになる。また、内容取得部３１ａから作業情報作成部３２ａに上記担当者名を送出する必要がなくなる。従って、作業者が作業の担当者名を入力する手間を省くことができる。
【００７２】
次に、上記構成の作業情報記録装置１１における処理動作について、図７を参照して説明する。図７は、作業情報記録装置１１における処理の流れを示している。図示のように、まず、作業者ＩＤリーダ１５が作業者ＩＤを読み取るまで待機する（Ｓ２０）。そして、作業を行うべき何らかの事象が発生して、作業者が所持する記録媒体を作業者ＩＤリーダ１５に接続、接触、または接近させると、作業者ＩＤリーダ１５が上記記録媒体から作業者ＩＤを読み取る。このとき、時刻取得部３０が、時計部２３からの時刻を作業の開始時刻として取得する（Ｓ１１）。
【００７３】
次に、作業者ＩＤリーダ１５が作業者ＩＤを再び読み取るまで待機する（Ｓ２２）。そして、作業が終了して、作業者が所持する記録媒体を作業者ＩＤリーダ１５に接続、接触、または接近させると、作業者ＩＤリーダ１５が上記記録媒体から作業者ＩＤを再び読み取る。このとき、時刻取得部３０が、時計部２３からの時刻を作業の終了時刻として取得する一方、作業者ＩＤ取得部３３は、作業者情報記録部４１の作業者情報を参照して、取得した作業者ＩＤに対応する作業者の氏名を、作業の担当者名として取得する（Ｓ２３）。その後は、図５に示すステップＳ１４〜Ｓ１６が行われ、再びステップＳ２０に戻って上記動作を繰り返す。
【００７４】
〔実施の形態３〕
次に、本発明のさらに別の実施形態について、図８および図９を参照して説明する。本実施形態の作業情報記録装置１１は、図６および図７に示す作業情報記録装置１１に比べて、作業者ＩＤ取得部３３の機能と、作業情報作成部３２ａが作成するレコードの内容とが異なるのみであり、その他の構成は同様である。なお、上記実施形態で説明した構成と同様の機能を有する構成には同一の符号を付して、その説明を省略する。
【００７５】
本実施形態では、作業者ＩＤ取得部３３は、時刻取得部３０ａが作業の開始時刻を取得する時に作業者ＩＤリーダ１５から取得した作業者ＩＤに対応する作業者の氏名を、作業者情報記録部４１の作業者情報を参照して取得している。作業者ＩＤ取得部３３は、取得した作業者の氏名を、作業すべき事象の発見者である発見者名として、内容取得部３１ａおよび作業情報作成部３２ａに送出する。
【００７６】
また、本実施形態では、作業者ＩＤ取得部３３は、時刻取得部３０ａが作業の終了時刻を取得する時に作業者ＩＤリーダ１５から取得した作業者ＩＤに対応する作業者の氏名を、作業者情報記録部４１の作業者情報を参照して取得している。作業者ＩＤ取得部３３は、取得した作業者の氏名を、作業の対応者である対応者名として、内容取得部３１ａおよび作業情報作成部３２ａに送出する。
【００７７】
図８は、作業情報ＤＢ記録部４０の作業情報ＤＢの一例を表形式で示している。図８に示す作業情報ＤＢは、図４に示す作業情報ＤＢに比べて、担当者名に代えて、発見者名および対応者名を含んでいる点が異なり、その他は同様である。これにより、本実施形態の作業情報記録装置１１は、上記発見者と上記対応者とが異なる場合にも対応することができる。また、作業者が上記発見者および上記対応者の氏名を入力する手間を省くことができる。
【００７８】
作業情報作成部３２ａは、時刻取得部３０から開始時刻を受け取り、かつ作業者ＩＤ取得部３３から発見者名を受け取ると、図８の（ａ）に示すように、開始時刻および発見者名を含む新たなレコードを作成して上記作業情報ＤＢに追加する。それから、作業情報作成部３２ａは、時刻取得部３０から終了時刻を受け取り、かつ作業者ＩＤ取得部３３から対応者名を受け取ると、同図の（ｂ）に示すように、当該レコードに終了時刻および対応者名を追加するように上記作業情報ＤＢを更新する。そして、作業情報作成部３２ａは、内容取得部３１から作業内容を受け取ると、同図の（ｃ）に示すように、当該レコードに作業内容を追加するように上記作業情報ＤＢを更新する。
【００７９】
次に、上記構成の作業情報記録装置１１における処理動作について、図９を参照して説明する。図９は、作業情報記録装置１１における処理の流れを示している。図示のように、まず、作業者ＩＤリーダ１５が作業者ＩＤを読み取るまで待機する（Ｓ２０）。そして、作業を行うべき何らかの事象が発生して、作業者が所持する記録媒体を作業者ＩＤリーダ１５に接続、接触、または接近させると、作業者ＩＤリーダ１５が上記記録媒体から作業者ＩＤを読み取る。このとき、時刻取得部３０が、時計部２３からの時刻を作業の開始時刻として取得する一方、作業者ＩＤ取得部３３は、作業者情報記録部４１の作業者情報を参照して、取得した作業者ＩＤに対応する作業者の氏名を、上記発見者名として取得する（Ｓ３１）。
【００８０】
次に、作業者ＩＤリーダ１５が作業者ＩＤを再び読み取るまで待機する（Ｓ２２）。そして、作業が終了して、作業者が所持する記録媒体を作業者ＩＤリーダ１５に接続、接触、または接近させると、作業者ＩＤリーダ１５が上記記録媒体から作業者ＩＤを再び読み取る。このとき、時刻取得部３０が、時計部２３からの時刻を作業の終了時刻として取得する一方、作業者ＩＤ取得部３３は、作業者情報記録部４１の作業者情報を参照して、取得した作業者ＩＤに対応する作業者の氏名を、上記対応者名として取得する（Ｓ３３）。その後は、図５に示すステップＳ１４〜Ｓ１６が行われ、再びステップＳ２０に戻って上記動作を繰り返す。
【００８１】
〔実施の形態４〕
次に、本発明のさらに別の実施形態について、図１０および図１１を参照して説明する。図１０は、本実施形態の作業情報記録装置１１の概略構成を示している。同図に示す本実施形態の作業情報記録装置１１は、図６に示す作業情報記録装置１１に比べて、作業者ＩＤリーダ１５が各設備１２に設けられている点と、作業者ＩＤリーダ１５と設備１２とを対応付けた設備情報を予め記録する設備情報記録部４２が追加されている点とが異なり、その他の構成は同様である。なお、上記実施形態で説明した構成と同様の機能を有する構成には同一の符号を付して、その説明を省略する。
【００８２】
本実施形態の作業情報記録装置１１の制御部２０は、図６に示す制御部２０に比べて、時刻取得部３０ａ、内容取得部３１ａ、作業情報作成部３２ａ、および作業者ＩＤ取得部３３に代えて、時刻取得部３０ｂ、内容取得部３１ｂ、作業情報作成部３２ｂ、および作業者ＩＤ取得部３３ｂが設けられている点が異なり、その他の構成は同様である。
【００８３】
時刻取得部３０ｂは、図６に示す時刻取得部３０ａに比べて、複数の設備１２に設けられた複数の作業者ＩＤリーダ１５から作業者ＩＤを受け取り可能である点が異なり、その他の機能は同様である。
【００８４】
作業者ＩＤ取得部３３ｂは、時刻取得部３０ｂが作業の開始時刻を取得する時に作業者ＩＤリーダ１５から取得した作業者ＩＤに対応する作業者の氏名を、作業者情報記録部４１の作業者情報を参照して取得している。さらに、作業者ＩＤ取得部３３ｂは、作業者ＩＤの取得元である作業者ＩＤリーダ１５に対応する設備名を、設備情報記録部４２の設備情報を参照して取得している。作業者ＩＤ取得部３３は、取得した作業者の氏名を、上記発見者名として、内容取得部３１ｂおよび作業情報作成部３２ｂに送出すると共に、取得した設備名を内容取得部３１ｂおよび作業情報作成部３２ｂに送出する。
【００８５】
また、本実施形態では、作業者ＩＤ取得部３３ｂは、時刻取得部３０ｂが作業の終了時刻を取得する時に作業者ＩＤリーダ１５から取得した作業者ＩＤに対応する作業者の氏名を、作業者情報記録部４１の作業者情報を参照して取得している。作業者ＩＤ取得部３３は、取得した作業者の氏名を、作業の対応者である対応者名として、内容取得部３１ｂおよび作業情報作成部３２ｂに送出する。
【００８６】
内容取得部３１ｂおよび作業情報作成部３２ｂは、図６に示す内容取得部３１ａおよび作業情報作成部３２ａに比べて、作業の担当者名に代えて、発見者名、対応者名、および設備名を作業者ＩＤ取得部３３から受け取る点が異なり、その他の機能は同様である。これにより、内容取得部３１ｂが表示部２４に表示させる作業内容入力画像には、上記開始時刻、終了時刻、および作業時間に加えて、上記発見者名、対応者名、および設備名が既に記入されることになる。また、内容取得部３１ａから作業情報作成部３２ａに上記発見者名、対応者名、および設備名を送出する必要がなくなる。従って、作業者が上記発見者名、対応者名、および設備名を入力する手間を省くことができる。
【００８７】
次に、上記構成の作業情報記録装置１１における処理動作について、図１１を参照して説明する。図１１は、作業情報記録装置１１における処理の流れを示している。図示のように、まず、作業者ＩＤリーダ１５が作業者ＩＤを読み取るまで待機する（Ｓ２０）。そして、作業を行うべき何らかの事象が発生して、作業者が所持する記録媒体を作業者ＩＤリーダ１５に接続、接触、または接近させると、作業者ＩＤリーダ１５が上記記録媒体から作業者ＩＤを読み取る。
【００８８】
このとき、時刻取得部３０ｂは、時計部２３からの時刻を作業の開始時刻として取得する（Ｓ４１）。一方、作業者ＩＤ取得部３３ｂは、作業者情報記録部４１の作業者情報を参照して、取得した作業者ＩＤに対応する作業者の氏名を、上記発見者名として取得する（Ｓ４１）。さらに、作業者ＩＤ取得部３３ｂは、設備情報記録部４２の設備情報を参照して、作業者ＩＤを読み取った作業者ＩＤリーダ１５に対応する設備１２の名称を上記設備名として取得する（Ｓ４１）。その後は、図９に示すステップＳ２２、Ｓ２２、およびＳ１４〜Ｓ１６が行われ、再びステップＳ２０に戻って上記動作を繰り返す。
【００８９】
〔実施の形態５〕
次に、本発明のさらに別の実施形態について、図１２を参照して説明する。図１２は、本実施形態の作業情報記録装置１１の概略構成を示している。同図に示す本実施形態の作業情報記録装置１１は、図１に示す作業情報記録装置１１に比べて、押しボタンスイッチ１４に代えて、作業の開始用押しボタンスイッチ１４ｃと作業の終了用押しボタンスイッチ１４ｄとが設けられている点と、記録部２１に、作業の終了時刻を一時記憶する時刻記憶部４３が新たに設けられている点とが異なり、その他の構成は同様である。なお、上記実施形態で説明した構成と同様の機能を有する構成には同一の符号を付して、その説明を省略する。
【００９０】
本実施形態の作業情報記録装置１１の制御部２０は、図１に示す制御部２０に比べて、時刻取得部３０に代えて、開始時刻取得部３０ｃおよび終了時刻取得部３０ｄが設けられている点と、時刻選択部（時刻選択手段）３４が新たに設けられている点とが異なり、その他の構成は同様である。
【００９１】
開始時刻取得部３０ｃは、開始用押しボタンスイッチ１４ｃからスイッチ本体の作動の旨を受け取ると、時計部２３から現在の時刻を作業の開始時刻として取得するものである。開始時刻取得部３０ｃは、取得した開始時刻を内容取得部３１および作業情報作成部３２に送出する。
【００９２】
一方、終了時刻取得部３０ｄは、終了用押しボタンスイッチ１４ｄからスイッチ本体の作動の旨を受け取ると、時計部２３から現在の時刻を作業の終了時刻として取得するものである。終了時刻取得部３０ｄは、取得した終了時刻を時刻記憶部４３に記憶する。
【００９３】
時刻選択部３４は、時刻記憶部４３に記憶された終了時刻の中から、作業者から操作部２２を介しての指示に基づき選択するものである。時刻選択部３４は、選択した終了時刻を内容取得部３１および作業情報作成部３２に送出する。
【００９４】
上記の構成によると、開始用押しボタンスイッチ１４ｃと終了用押しボタンスイッチ１４ｄとが設けられているので、制御部２０が時計部２３から取得する時刻が作業の開始時刻および終了時刻の何れであるかを容易に特定することができる。また、複数の作業が発生し、複数の開始時刻と複数の終了時刻とが発生した場合でも、或る開始時刻に対応する終了時刻を選択することにより、各作業の開始時刻および終了時刻を特定することができる。
【００９５】
〔実施の形態６〕
次に、本発明のさらに別の実施形態について、図１３〜図１５を参照して説明する。図１３は、本実施形態の作業情報記録装置１１の概略構成を示している。同図に示す本実施形態の作業情報記録装置１１は、図１に示す作業情報記録装置１１に比べて、記録部２１に、作業の関連時刻を一時記憶する時刻記憶部４３ｅが新たに設けられている点が異なり、その他の構成は同様である。なお、上記実施形態で説明した構成と同様の機能を有する構成には同一の符号を付して、その説明を省略する。
【００９６】
本実施形態の作業情報記録装置１１の制御部２０は、図１に示す制御部２０に比べて、時刻取得部３０に代えて、時刻取得部３０ｅが設けられている点と、時刻選択部３４ｅが新たに設けられている点とが異なり、その他の構成は同様である。
【００９７】
時刻取得部３０ｅは、押しボタンスイッチ１４から上記スイッチ本体の作動の旨を受け取ると、時計部２３から現在の時刻を作業の関連時刻として取得するものである。ここで、作業の関連時刻は、作業の開始時刻および終了時刻の何れかである。時刻取得部３０ｅは、取得した関連時刻を、時刻記憶部４３ｅに記憶する。
【００９８】
時刻選択部３４ｅは、時刻記憶部４３ｅに記憶された作業の関連時刻の中から、作業者から操作部２２を介しての指示に基づき、作業の開始時刻および終了時刻の両方を選択するものである。時刻選択部３４は、選択した開始時刻および終了時刻を内容取得部３１および作業情報作成部３２に送出する。
【００９９】
次に、上記構成の作業情報記録装置１１における処理動作について、図１４および図１５を参照して説明する。図１４は、作業関連時刻を取得する処理の流れを示している。図示のように、まず、押しボタンスイッチ１４が押されるまで待機する（Ｓ５０）。そして、作業を行うべき何らかの事象が発生して、作業者によって押しボタンスイッチ１４が押されると、時刻取得部３０が、時計部２３からの時刻を作業の関連時刻として取得し、取得した関連時刻を時刻記憶部４３ｅに記憶する（Ｓ５１）。その後、ステップＳ５０に戻って上記動作を繰り返す。
【０１００】
図１５は、作業情報を作成する処理の流れを示している。図示のように、まず、内容取得部３１は、図３に示すような作業内容入力画面を表示部２４に表示させる（Ｓ６０）。そして、時刻選択部３４が作業者からの指示により開始時刻を選択すると（Ｓ６１）、作業情報作成部３２は、選択された時刻を作業の開始時刻として作業情報レコードに格納する（Ｓ６２）。また、時刻選択部３４が作業者からの指示により終了時刻を選択すると（Ｓ６３）、作業情報作成部３２は、選択された時刻を作業の終了時刻として作業情報レコードに格納する（Ｓ６４）。
【０１０１】
また、内容取得部３１が作業者からの入力により作業内容を取得すると（Ｓ６５）、作業情報作成部３２は、取得された作業内容を作業情報レコードに格納する（Ｓ６６）。そして、登録ボタンが押されるまで（Ｓ６７）、ステップＳ６１に戻って上記動作を繰り返す。登録ボタンが押されると（Ｓ６７）。作業情報作成部３２は、上記作業情報レコードを作業情報ＤＢ記録部４０に記録し（Ｓ６８）、その後、処理動作を終了する。
【０１０２】
〔実施の形態７〕
次に、本発明のさらに別の実施形態について、図１６〜図１８を参照して説明する。図１６は、本実施形態の作業情報記録装置１１の概略構成を示している。同図に示す本実施形態の作業情報記録装置１１は、図１０に示す作業情報記録装置１１に比べて、作業者ＩＤリーダ１５に代えて押しボタンスイッチ１４を利用している点と、エリアセンサ（行動検出デバイス）１６が新たに設けられている点と、作業者情報記録部４１が省略されている点と、制御部２０内の構成とが異なり、その他の構成は同様である。なお、上記実施形態で説明した構成と同様の機能を有する構成には同一の符号を付して、その説明を省略する。
【０１０３】
エリアセンサ１６は、生産ライン１０の近くの所定領域（区域）における人（作業者）の出入りを検出するものである。エリアセンサ１６による検出は制御部２０に通知される。エリアセンサ１６を利用することにより、作業者は、上記所定領域を出入りすれば自動的に検出されるので、押しボタンスイッチ１４を押すなど、作業者に余分な作業を行わせる必要がなくなる。
【０１０４】
図１６に示す本実施形態の制御部２０は、図１０に示す制御部２０に比べて、作業者ＩＤ取得部３３ｂに代えて設備特定部３５が設けられている点と、時刻取得部３０ｂおよび作業情報作成部３２ｂにおける機能が変更されている点とが異なり、その他の構成は同様である。
【０１０５】
設備特定部３５は、押しボタンが押された押しボタンスイッチ１４に対応する設備名を、設備情報記録部４２の設備情報を参照して特定している。設備特定部３５は、特定した設備名を内容取得部３１ｂおよび作業情報作成部３２ｂに送出する。
【０１０６】
本実施形態では、時刻取得部３０ｂは、まず、エリアセンサ１６から上記検出が通知された時に取得した時刻を、作業を行うべき事象（故障）が発覚した時刻である故障発覚時刻（発見時刻）としている。また、時刻取得部３０ｂは、その後に押しボタンスイッチ１４から上記作動の旨と受け取った時に取得した時刻を上記作業の開始時刻としており、エリアセンサ１６から上記検出が再び通知された時に取得した時刻を上記作業の終了時刻としている。従って、本実施形態の作業情報記録装置１１は、故障発覚時刻を作業開始時刻とは別に収集できるので、故障発覚から作業の開始までの遅れを把握することができる。
【０１０７】
図１７は、作業情報ＤＢ記録部４０の作業情報ＤＢの一例を表形式で示している。図１７に示す作業情報ＤＢは、図８に示す作業情報ＤＢに比べて、故障発覚時刻が追加されている点と、発見者名および対応者名の代わりに担当者名が含まれている点とが異なり、その他は同様である。
【０１０８】
本実施形態では、作業者ＩＤリーダ１５に代えて押しボタンスイッチ１４が利用されているので、発見者および対応者を自動的に特定することができない。このため、作業者から操作部２２を介して担当者名が、内容情報の１つとして入力されることになる。
【０１０９】
作業情報作成部３２ｂは、時刻取得部３０ｂから故障発覚時刻を受け取ると、図１８の（ａ）に示すように、故障発覚時刻を含む新たなレコードを作成して上記作業情報ＤＢに追加する。それから、作業情報作成部３２ｂは、時刻取得部３０ｂから開始時刻を受け取り、設備特定部３５から設備名を取得すると、同図の（ｂ）に示すように、当該レコードに開始時刻および設備名を追加するように上記作業情報ＤＢを更新する。そして、作業情報作成部３２ｂは、時刻取得部３０ｂから終了時刻を受け取り、かつ、内容取得部３１から、担当者名を含む作業内容を受け取ると、同図の（ｃ）に示すように、当該レコードに終了時刻および作業内容を追加するように上記作業情報ＤＢを更新する。
【０１１０】
次に、上記構成の作業情報記録装置１１における処理動作について、図１８を参照して説明する。図１８は、作業情報記録装置１１における処理の流れを示している。図示のように、まず、エリアセンサ１６が作業者を検知するまで待機する（Ｓ７０）。そして、作業を行うべき何らかの事象が発生して、作業者が生産ライン１０に近づくと、エリアセンサ１６が検知して、時刻取得部３０が、時計部２３からの時刻を故障発覚時刻として取得する（Ｓ７１）。
【０１１１】
次に、押しボタンスイッチ１４が押されるまで待機する（Ｓ７２）。作業者によって押しボタンスイッチ１４が押されると、時刻取得部３０が、時計部２３からの時刻を作業の開始時刻として取得する一方、設備特定部３５が、押された押しボタンスイッチ１４に対応する設備１２を特定し、特定した設備１２の設備名を取得する（Ｓ７３）。
【０１１２】
次に、エリアセンサ１６が作業者を検知するまで待機する（Ｓ７４）。そして、作業が終了して、エリアセンサ１６が作業者を検知すると、時刻取得部３０が、時計部２３からの時刻を作業の終了時刻として取得する（Ｓ１３）。その後、ステップＳ１４〜Ｓ１６が行われ、再びステップＳ７０に戻って上記動作を繰り返す。
【０１１３】
〔実施の形態８〕
次に、本発明のさらに別の実施形態について、図１９を参照して説明する。図１９は、本実施形態の作業情報記録装置１１の概略構成を示している。同図に示す本実施形態の作業情報記録装置１１は、図１に示す作業情報記録装置１１に比べて、押しボタンスイッチ１４に代えて、ワイヤレス型押しボタンスイッチ１４ｆが利用されている点と、ワイヤレス型押しボタンスイッチ１４ｆからの無線信号を受信する受信部２５が設けられている点が異なり、その他の構成は同様である。なお、上記実施形態で説明した構成と同様の機能を有する構成には同一の符号を付して、その説明を省略する。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１５】
例えば、内容取得部３１は、図３に示す作業内容入力画像を表示部２４に表示させる場合、各作業の作業期間（開始時刻から終了時刻まで）をタイムチャートで表示部２４に表示させてもよい。図２０は、上記タイムチャートの一例を示している。図示の例では、作業１は、開始時刻が８時００分であり、終了時刻が９時００分である。一方、作業２は、開始時刻が８時３０分であり、終了時刻が９時３０分である。図示のように、各作業の作業期間をタイムチャートで表示することにより、作業者は、各作業の作業期間を直感的に把握することができる。
【０１１６】
図２１の（ａ）および（ｂ）は、それぞれ、作業１および作業２の上記作業内容入力画像の一例を示している。図２０に示すタイムチャートにおいて、作業者が作業１のタイムチャートを選択すると、図２１の（ａ）に示す作業１の作業内容入力画像が表示される。一方、作業２のタイムチャートが選択されると、図２１の（ｂ）に示す作業２の作業内容入力画像が表示される。従って、作業者は、各作業の作業内容を容易に入力することができる。
【０１１７】
なお、図２１において、開始時刻および終了時刻が変更可能であってもよい。この場合、上記選択に応じて、図２０に示すタイムチャートが変化することになる。例えば、図２１の（ａ）において、終了時刻を９時３０分に変更すると、図２０に示す作業１のタイムチャートは８時００分〜９時３０分に変化することになる。
【０１１８】
また、作業情報作成部３２は、各設備１２からの稼働情報を取得し、取得した稼働情報に基づいて、終了時刻を自動的に修正してもよい。図２２は、終了時刻を修正する例をタイムチャートで示している。同図の上段は稼働情報を示し、中段は作業者が入力した作業期間を示している。そして、同図の下段は、修正された作業期間を示している。
【０１１９】
図２２に示すように、作業情報作成部３２は、作業者が押しボタンスイッチ１４を押すなどにより取得した終了時刻の前後所定期間（例えば３０分）に発生した設備１２の異常停止をサーチし、該異常停止の終了時刻を当該作業の終了時刻として修正する。これにより、より正確な終了時刻を取得することができる。なお、作業者が、図２２の上段および中段のタイムチャートを比較して、図２２の下段に示すように、終了時刻を手動で修正してもよい。
【０１２０】
最後に、作業情報記録装置１１の各ブロック、特に制御部２０は、ハードウェアロジックによって構成してもよいし、次のようにＣＰＵを用いてソフトウェアによって実現してもよい。
【０１２１】
すなわち、作業情報記録装置１１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである作業情報記録装置１１の制御プログラムのプログラムコード（実行形式プログラム、中間コードプログラム、ソースプログラム）をコンピュータで読み取り可能に記録した記録媒体を、上記作業情報記録装置１１に供給し、そのコンピュータ（またはＣＰＵやＭＰＵ）が記録媒体に記録されているプログラムコードを読み出し実行することによっても、達成可能である。
【０１２２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２３】
また、作業情報記録装置１１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２４】
本発明に係る作業情報記録装置は、内容情報と共に終了時刻を取得する従来の場合に比べて、終了時刻を迅速に取得でき、その結果、上記作業の終了時刻の精度の低下を抑制できるので、異常に対する処置以外にも任意の作業に適用することができる。
【符号の説明】
【０１２５】
１  生産システム
１０  生産ライン
１１  作業情報記録装置
１２  設備
１４  押しボタンスイッチ（行動検出デバイス）
１５  作業者ＩＤリーダ（行動検出デバイス、識別情報読取デバイス）
１６  エリアセンサ（行動検出デバイス）
２０  制御部
２１  記録部（記録デバイス）
２２  操作部（操作デバイス）
２３  時計部
２４  表示部（表示デバイス）
２５  受信部
３０  時刻取得部（時刻取得手段）
３１  内容取得部（内容取得手段、表示指示手段）
３２  作業情報作成部（作業情報作成手段、稼働情報取得手段）
３３  作業者ＩＤ取得部
３４  時刻選択部（時刻選択手段）
３５  設備特定部
４０  作業情報ＤＢ記録部
４１  作業者情報記録部
４２  設備情報記録部
４３  時刻記憶部
【図１】
0005353901.tif 000002
【図２】
0005353901.tif 000003
【図３】
0005353901.tif 000004
【図４】
0005353901.tif 000005
【図５】
0005353901.tif 000006
【図６】
0005353901.tif 000007
【図７】
0005353901.tif 000008
【図８】
0005353901.tif 000009
【図９】
0005353901.tif 000010
【図１０】
0005353901.tif 000011
【図１１】
0005353901.tif 000012
【図１２】
0005353901.tif 000013
【図１３】
0005353901.tif 000014
【図１４】
0005353901.tif 000015
【図１５】
0005353901.tif 000016
【図１６】
0005353901.tif 000017
【図１７】
0005353901.tif 000018
【図１８】
0005353901.tif 000019
【図１９】
0005353901.tif 000020
【図２０】
0005353901.tif 000021
【図２１】
0005353901.tif 000022
【図２２】
0005353901.tif 000023
【図２３】
0005353901.tif 000024
【図２４】
0005353901.tif 000025